(57)【特許請求の範囲】
【請求項１】
映像信号を入力しその同期信号を検出する映像入力・同期信号検出手段と，該映像入力・同期信号検出手段により検出した前記同期信号に応じて当該表示装置を省電力状態とするか通常状態とするかを制御する省電力制御手段とを具備する表示装置において，前記省電力状態である場合に，少なくとも前記映像入力・同期信号検出手段への電力供給は行う第１の省電力状態と，前記映像入力・同期信号検出手段への電力供給も停止する第２の省電力状態と，を所定の時間間隔で切り替える省電力状態切替手段を具備するとともに，前記省電力状態へ移行した際には，所定の待ち時間が経過するまで前記第１の省電力状態を維持した後に，前記省電力状態切替手段による前記第１及び第２の省電力状態の切り替え制御を開始させるよう構成し，さらに，前記省電力状態となってから前記通常状態に復帰するまでの時間である実績省電力時間を記憶する記憶手段と，該記憶手段に記憶された前記実績省電力時間に基づいて前記待ち時間を設定する待ち時間設定手段を具備してなることを特徴とする表示装置。
【請求項２】
前記第２の省電力状態への切り替えを行うか否かを選択する選択手段を具備してなる請求項１に記載の表示装置。
【請求項３】
前記省電力状態切替手段により前記第１及び第２の省電力状態を切り替える時間間隔を設定する状態切替時間設定手段を具備してなる請求項１または２に記載の表示装置。
【請求項４】
映像信号を入力しその同期信号を検出する映像入力・同期信号検出手段により検出した前記同期信号に応じて，省電力状態とするか通常状態とするかを制御する表示装置の省電力制御方法において，前記省電力状態である場合に，少なくとも前記映像入力・同期信号検出手段への電力供給は行う第１の省電力状態と，前記映像入力・同期信号検出手段への電力供給も停止する第２の省電力状態と，を所定の時間間隔で切り替えるとともに，前記省電力状態へ移行した際には，所定の待ち時間が経過するまで前記第１の省電力状態を維持した後に，前記第１及び第２の省電力状態の切り替え制御を開始し，さらに，前記省電力状態となってから前記通常状態に復帰するまでの時間である実績省電力時間を記憶し、記憶した前記実績省電力時間に基づいて前記待ち時間を設定することを特徴とする表示装置の省電力制御方法。
【発明の詳細な説明】
【０００１】
【発明の属する技術分野】
本発明は，入力した映像信号に基づく省電力機能を有する表示装置及びその省電力制御方法に関するものである。
【０００２】
【従来の技術】
省電力化のニーズに応えるため，従来より，液晶ディスプレイやＣＲＴ等の表示装置には，入力した映像信号の垂直・水平同期信号（以下，同期信号という）の状態により，省電力状態への切り替え，及び通常状態への復帰を制御する省電力機能を有するものがあった。これにより，接続されたパソコン等端末の電源がＯＦＦされたり，接続ケーブルが外れたりした場合には，省電力状態へ切り替わるため，無駄な電力消費が抑えられる。一般に，省電力状態で，通常状態へ自動復帰するには，前記同期信号の状態変化を検出する必要があるため，映像信号のＡ／Ｄ変換器や，Ａ／Ｄ変換後の信号を表示部への出力信号へ変換する信号制御回路等への電力供給が，通常状態より少量ではあるが行われていた。より省電力化を図るためには，省電力状態において，Ａ／Ｄ変換器等，前記同期信号を検出するための手段への電力供給も停止させた方が望ましい。
【０００３】
【発明が解決しようとする課題】
しかしながら，省電力状態において前記同期信号を検出する手段への電力供給を停止させると，前記同期信号の状態が変化した場合に，自動的に通常状態へ復帰できなくなるという問題点があった。
従って，本発明は上記事情に鑑みてなされたものであり，その目的とするところは，入力した映像信号の同期信号に基づく省電力機能を有する表示装置において，省電力状態から通常状態への自動復帰機能を有しつつ，より省電力化を図る表示装置及びその省電力制御方法を提供することにある。
【０００４】
【課題を解決するための手段】
上記目的を達成するために本発明は，映像信号を入力しその同期信号を検出する映像入力・同期信号検出手段と，該映像入力・同期信号検出手段により検出した前記同期信号に応じて当該表示装置を省電力状態とするか通常状態とするかを制御する省電力制御手段とを具備する表示装置において，前記省電力状態である場合に，少なくとも前記映像入力・同期信号検出手段への電力供給は行う第１の省電力状態と，前記映像入力・同期信号検出手段への電力供給も停止する第２の省電力状態と，を所定の時間間隔で切り替える省電力状態切替手段を具備するとともに，前記省電力状態へ移行した際には，所定の待ち時間が経過するまで前記第１の省電力状態を維持した後に，前記省電力状態切替手段による前記第１及び第２の省電力状態の切り替え制御を開始させるよう構成し，さらに，前記省電力状態となってから前記通常状態に復帰するまでの時間である実績省電力時間を記憶する記憶手段と，該記憶手段に記憶された前記実績省電力時間に基づいて前記待ち時間を設定する待ち時間設定手段を具備してなることを特徴とする表示装置である。これにより，省電力状態において，前記映像入力・同期信号検出手段への電力供給が一定周期で停止されるので，より省電力化が図れる。さらに，長くても所定の時間間隔の分だけ待てば，前記映像入力・同期信号検出手段に電力が供給されるので，前記同期信号の状態変化が検出されて通常状態への自動復帰も行われる。
【０００５】
さらに，省電力状態になった後，比較的短時間のうちに通常状態へ復帰させるような使用形態が多い場合には，前記第２の省電力状態から第１の省電力状態になるまで通常常態への復帰が待たされることがないので便利である。
【０００６】
また，前記第２の省電力状態への切り替えを行うか否かを選択する選択手段を具備するものや，前記省電力状態切替手段により前記第１及び第２の省電力状態を切り替える時間間隔を設定する状態切替時間設定手段を具備するものであってもよい。
また，前記表示装置に適用される制御を，表示装置の省電力制御方法として捉えたものも考えられる。
【０００７】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る表示装置Ｘの主要部の概略構成を表すブロック図，図２は本発明の実施の形態に係る表示装置ＸにおけるＡ／Ｄ変換器及び信号制御回路の消費電力の推移を表す図，図３は本発明の実施の形態に係る表示装置Ｘの省電力状態における処理の手順を表すフローチャート，図４は本発明の実施の形態に係る表示装置Ｘの省電力状態に入る前後における処理の手順を表すフローチャート，図５は本発明の実施の形態に係る表示装置Ｘにおいて省電力状態へ移行当初に第１の省電力状態を維持する時間の決定方法を説明する図，図６は本発明の実施の形態に係る表示装置Ｘにおいて第１及び第２の省電力状態を切り替える時間間隔を設定する画面の例を表す図，図７は本発明の実施の形態に用いることのできるＡ／Ｄ変換器を含む概念図である。
【０００８】
本発明の実施の形態に係る表示装置Ｘは，パソコン等の端末から出力される映像信号を入力して表示する液晶ディスプレイやＣＲＴ等の表示装置である。
まず，図１を用いて，表示装置Ｘの概略構成について説明する。
表示装置Ｘは，映像信号を入力してディジタル信号へ変換するＡ／Ｄ変換器１０３，Ａ／Ｄ変換器１０３からのディジタル信号に基づいて映像信号の垂直・水平同期信号（以下，単に同期信号という）の状態（「入力信号あり」／「入力信号なし」）を検出するとともに，所定の信号変換を行って表示部１０２へ出力する信号制御回路１０４，信号制御回路１０４からの信号を入力して表示する液晶パネル等である表示部１０２，当該表示装置Ｘ全体を制御する制御部１０１，制御部１０１により読み書きされるデータを記憶する不揮発性のＲＡＭ等である記憶部１０５，入力ボタン等から構成される操作部１０６を具備している。前記Ａ／Ｄ変換器１０３及び信号制御回路１０４により前記映像入力・同期信号検出手段が構成されており，前記同期信号の検出のためには，これら１０３，１０４への電力供給が必要である。また，前記制御部１０１は，ＭＰＵ１０１ａ，主メモリ１０１ｂ，ＲＯＭ１０１ｃ，電力供給制御回路１０１ｄ，その他不図示の周辺機器から構成される。前記電力供給制御回路１０１ｄは，前記Ａ／Ｄ変換器１０３及び信号制御回路１０４並びに前記表示部１０２等への電力供給を制御する。また，前記ＭＰＵ１０１ａは前記ＲＯＭ１０１ｃに予め登録された所定のプログラムを実行する。これにより，専用バス１０７で接続された前記信号制御回路１０４から前記同期信号の状態を取得し，これに基づいて前記電力供給制御回路１０１ｄによる電力供給が制御される。
【０００９】
次に，図２を用いて，前記同期信号の入力が無くなり，その状態が継続した場合の省電力動作について説明する。図２の横軸は時間軸であり，前記Ａ／Ｄ変換器１０３及び信号制御回路１０４を合わせた消費電力である。
まず，接続されたパソコン等が稼動中であり，前記同期信号が入力されているときは，前記電力供給制御回路１０１ｄにより，前記表示部１０２，Ａ／Ｄ変換器１０３，信号制御回路１０４に対し定格電力が供給され，前記表示部１０２への映像表示が行われる通常状態（消費電力Ｗ１）で推移する（Ｐ０までの時点）。そして，前記パソコン等の電源がＯＦＦされたり，接続されたケーブルが外れる等により，前記同期信号の入力が無くなると（Ｐ０の時点），前記電力供給制御回路１０１ｄにより第１の省電力状態（消費電力Ｗ２）へ切り替わる。この第１の省電力状態は，前記Ａ／Ｄ変換器１０３及び信号制御回路への電力供給はＯＮ状態であり，前記同期信号の状態変化を検出して，短時間で前記表示部１０２への表示を復帰させることができるための必要最小限の電力Ｗ２を消費する状態である。即ち，前記同期信号の状態が変化すれば，自動的に通常状態へ復帰する状態である。
ここで，図７を用いて，前記第１の省電力状態について，前記Ａ／Ｄ変換器１０３を例に説明する。図７に示すように，前記Ａ／Ｄ変換器１０３は，前記映像信号にけるアナログＲＧＢ信号の振幅調整等を行うプリアンプ部２０１と，前記振幅調整後の信号をデジタル信号へ変換するＡ／Ｄ変換部２０２と，前記映像信号における同期信号（ＳＹＮＣ信号）を処理する同期分離・同期信号処理部２０３と，処理後の前記同期信号からドットクロックを生成するＰＬＬ部２０４とから構成される。前記第１の省電力状態においては，前記プリアンプ部２０１及び前記Ａ／Ｄ変換部２０２への電力供給はＯＦＦの状態であるが，前記同期信号の状態変化を検出するために必要な，前記同期分離・同期信号処理部２０３及び前記ＰＬＬ部２０４は通電状態である。このように，前記第１の省電力状態は，前記同期信号の状態変化を検出できるための必要最小限の電力を消費する状態である。従来のいわゆるパワーセーブは，この第１の省電力状態を維持するものであった。
【００１０】
表示装置Ｘでは，Ｐ０の時点から所定時間Ｔ１（前記待ち時間に該当）の間，前記第１の省電力状態が維持された後，前記電力供給制御回路１０１ｄにより第２の省電力状態（消費電力Ｗ３（＝０））へ切り替わる（Ｐ１の時点）。この第２の省電力状態は，前記Ａ／Ｄ変換器１０３及び信号制御回路１０４への電力供給はＯＦＦ状態であり，電力は消費しないが，前記同期信号に変化が生じても検出できないため，自動的に通常状態へ復帰できない状態である。この第２の省電力状態では，例えば，図７に示す前記Ａ／Ｄ変換器１０３においては，それ全体への電力供給がＯＦＦ，即ち，前記同期信号の状態変化を検出するのに必要な前記同期分離・同期信号処理部２０３及び前記ＰＬＬ部２０４への電力供給もＯＦＦとなる。
そして，Ｐ１の時点から所定時間Ｔ２の間，前記第２の省電力状態が維持された後，再度，前記第１の省電力状態に切り替わり（Ｐ２の時点），所定の時間Ｔ３の間，その状態が維持される（Ｐ３までの時点）。以後，Ｐ１〜Ｐ３の間の状態変化が，前記同期信号の入力があるまで繰り返される。
これにより，前記第１の省電力状態を継続する場合よりも，より省電力化が可能となる。また，前記第２の省電力状態であるときに接続されたパソコン等の利用が再開された場合であっても，最大Ｔ２の時間だけ待てば，自動的に通常状態に復帰させることができる。ここで，時間Ｔ２は，利用者が表示装置の反応を待つのに不快感を覚えない程度の時間，例えば１〜３秒程度に設定することが考えられる。また，時間Ｔ３は，前記同期信号を検出できれば十分であるので，ごく短い時間に設定できる。時間Ｔ２，Ｔ３は，利用者によって予め設定されるものであり，これについては後述する。さらに，時間Ｔ１を設けているのは，省電力状態になった後，比較的短時間のうちに通常状態へ復帰させるような使用形態が多い利用者にとっては，その都度，最大Ｔ２の時間だけ通常常態への復帰を待つことは不便であるので，これを解消するためである。この時間Ｔ１の決定方法についても後述する。
【００１１】
次に，図３を用いて，前記制御部１０１によって実行される，省電力制御の処理手順について説明する。以下，Ｓ３０１，Ｓ３０２，，，は，処理手順（ステップ）の番号を表す。また，図３の処理の開始前に，前記同期信号の状態が「入力信号なし」となったことが既に検出されているものとする。
まず，Ｓ３０１において，前記電力供給制御回路１０１ｄにより，前記第１の省電力状態へ遷移（移行）するよう電力供給が制御される。
次に，Ｓ３０２，Ｓ３０３において，所定の時間Ｔ１が経過する（Ｓ３０３の時間Ｔ１経過側）までに，前記同期信号の状態が「入力信号あり」の状態となるか否かが判別（Ｓ３０２）され，時間Ｔ１が経過するまでに，前記同期信号の状態が「入力信号あり」となった場合（Ｓ３０２の入力信号あり側）は，前記電力供給制御回路１０１ｄにより電力供給が前記通常状態（前記表示部１０２への映像表示を行う状態）へ復帰（Ｓ３０９）するよう制御された後，処理が終了する。
一方，前記同期信号の状態が「入力信号なし」のままで，時間Ｔ１が経過した場合（Ｓ３０３の時間Ｔ１経過側）は，前記電力供給制御回路１０１ｄにより前記第２の省電力状態へ遷移するよう前記電力供給制御回路１０１ｄにより前記Ａ／Ｄ変換器１０３及び前記信号制御回路１０４への電力供給が停止される（Ｓ３０４）。そして，この状態が所定の時間Ｔ２が経過するまで維持（Ｓ３０５）された後，再度，前記第１の省電力状態へ遷移するよう電力供給が制御される（Ｓ３０６）。
次に，Ｓ３０７，Ｓ３０８において，所定の時間Ｔ３が経過するまでに，前記同期信号の状態が「入力信号あり」となるか否かが判別され，時間Ｔ３が経過するまでに，前記同期信号の状態が「入力信号あり」となった場合（Ｓ３０７の入力信号あり側）は，前記電力供給制御回路１０１ｄにより電力供給が前記通常状態へ復帰（Ｓ３０９）するよう制御された後，処理が終了する。
一方，前記同期信号の状態が「入力信号なし」のまま，時間Ｔ３が経過した場合（Ｓ３０８の時間Ｔ３経過側）は，Ｓ３０４へ戻って処理が繰り返される。
これにより，図２に示したように消費電力が推移し，前記第１の省電力状態を継続させるよりも省電力化が図れることとなる。
【００１２】
次に，図４を用いて，図３の処理で用いられた所定の時間Ｔ１（以下，第１のパワーセーブ時間という）を決定する処理の手順について説明する。この処理は，図３の処理の前後に行われる。図４の処理の開始時点で，前記同期信号の状態が「入力信号なし」となったことが既に検出されているものとする。
前記同期信号の状態が「入力信号なし」となったことが検出されると，まず，Ｓ４０１において，前記第１又は第２の省電力状態となっている時間，即ち，前記同期信号の状態が一旦「入力信号なし」となってから，再度，「入力信号あり」となるまでの時間（以下，パワーセーブ時間という）の測定を開始する。
次に，既に前記記憶部１０５に格納されている過去の前記パワーセーブ時間（前記実績省電力時間に該当）が読み出され，これに基づいて前記第１のパワーセーブ時間Ｔ１が算出される。該算出の方法の一例を図５を用いて説明する。
前記記憶部１０５には，過去ｎ回分の前記パワーセーブ時間（実績値）Ｔｒ＿１ｓ〜Ｔｒｎｓと，それらの平均値Ｔｒ＿ａｖｒに応じて前記第１のパワーセーブ時間Ｔ１をいくらにするかを対応させたテーブル５０１とが格納されている。前記テーブル５０１は予め登録される。前記制御部１０１の前記ＭＰＵ１０１Ａは，前記パワーセーブ時間Ｔｒ１ｓ〜Ｔｒｎｓの平均値Ｔｒ＿ａｖｒを求め，該平均値Ｔｒ＿ａｖｒに対応する時間を前記テーブル５０１から読み出して前記第１のパワーセーブ時間Ｔ１とする。
【００１３】
ここで，前記テーブル５０１に設定するデータについて説明する。
一般に，前記パワーセーブ時間の平均Ｔｒ＿ａｖｒが長いということは，その利用者は，パソコン等の電源を投入したまま長時間席を離れる，或いは，パソコン等の電源をＯＦＦにしても当該表示装置Ｘの電源をＯＦＦにしないという使用状況が多いと考えられる。このような利用者に対しては，省電力状態（パワーセーブ状態）になった後，短時間のうちに前記通常状態に復帰させるという使用状況は少ないと考えられるため，このような使用状況を考慮して設けた前記第１のパワーセーブ時間Ｔ１は短くした方が，効率的に省電力化を図ることができる。
一方，前記パワーセーブ時間の平均Ｔｒ＿ａｖｒが短いということは，その利用者は，省電力常態（パワーセーブ状態）になっても比較的短時間で前記通常常態へ復帰させるという使用状況が多いと考えられる。このような利用者に対しては，前記第１のパワーセーブ時間Ｔ１を長くした方が，即ち，前記第２の省電力状態へすぐに遷移させない方が，前記通常状態への復帰が早くなるので便利である。
そこで，前記テーブル５０１には，前記パワーセーブ時間の平均Ｔｒ＿ａｖｒが長いほど，前記第１のパワーセーブ時間Ｔ１が短くなるように予めデータを設定しておく。
【００１４】
以上のようにして，Ｓ４０２で前記第１のパワーセーブ時間Ｔ１が算出されると，Ｓ４０３へ移行し，前述した図３に示す処理が実行される。
Ｓ４０３の処理（図３の処理）が終了すると，Ｓ４０１で開始された前記パワーセーブ時間の測定を終了（Ｓ４０４）させ，該パワーセーブ時間が前記記憶部１０５へ保存された後，処理が終了する。前記パワーセーブ時間は，古いものから順次上書きされ，最新のｎ個分が保存される。
【００１５】
次に，図６を用いて，前記第１及び第２の省電力状態を切り替える時間Ｔ２，Ｔ３の設定方法について説明する。
前記操作部１０６から所定の操作がなされると，前記制御部１０１の前記ＭＰＵ１０１ａにより，前記表示部１０２に，図６（ａ）に示すような画面が表示される。さらに，前記操作部１０６の所定の操作によって，省電力優先レベル６０１として，１〜４の４段階から１つを選択できるよう構成されている。前記省電力優先レベル６０１が選択されると，前記記憶部１０５に予め登録されたテーブル６０２（図６（ｂ））が参照され，選択された前記省電力優先レベル６０１に対応する時間の組み合わせ（Ｔ２＿１，Ｔ３＿１）〜（Ｔ２＿４，Ｔ３＿４）が読み出され，これが前記第２及び第１の省電力状態を切り替える時間間隔Ｔ２，Ｔ３として設定される（本処理が，前記状態切替時間設定手段の処理に該当）。ここで，前記時間の組み合わせ（Ｔ２＿１，Ｔ３＿１）〜（Ｔ２＿４，Ｔ３＿４）は，前記省電力優先レベル６０１の値が大きい（優先度が高い）ほど，前記第２の省電力状態を維持する時間Ｔ２が長く，前記第１の省電力状態を維持する時間Ｔ３が短くなるよう設定されている。
これにより，省電力化を優先するか，利便性を優先するかを利用者の好みに応じて動作を切り替えることが可能となる。即ち，省電力化を優先したい利用者に対しては，前記第２の省電力状態とする時間Ｔ２を長くすることで，より省電力化が図れる。一方，省電力よりも利便性を優先する利用者に対しては，前記第２の省電力状態とする時間Ｔ２を短くすることで，前記通常状態への復帰が早い常態（前記第１の省電力状態）を長く保つことができる。
また，例えば，前記省電力優先レベル６０１として「１」が選択された場合には，前記第２の省電力状態へは遷移させないようにする，即ち，前記省電力優先レベル６０１を「１」以外にするか「１」にするかによって，前記第２の省電力状態への切り替えを行うか否かを選択できるようにしてもよい。この場合，前記省電力優先レベル６０１が「１」である場合には，図３のＳ３０３において，時間Ｔ１の経過にかかわらず，常に，Ｓ３０２へ戻るよう構成すればよい。
【００１６】
【発明の効果】
以上説明したように，本発明によれば，入力した映像信号の同期信号に基づく省電力機能を有する表示装置において，省電力状態から通常状態への自動復帰機能を有しつつ，より省電力化を図ることができる。
【図面の簡単な説明】
【図１】本発明の実施の形態に係る表示装置Ｘの主要部の概略構成を表すブロック図。
【図２】本発明の実施の形態に係る表示装置ＸにおけるＡ／Ｄ変換器及び信号制御回路の消費電力の推移を表す図。
【図３】本発明の実施の形態に係る表示装置Ｘの省電力状態における処理の手順を表すフローチャート。
【図４】本発明の実施の形態に係る表示装置Ｘの省電力状態に入る前後における処理の手順を表すフローチャート。
【図５】本発明の実施の形態に係る表示装置Ｘにおいて省電力状態へ移行当初に第１の省電力状態を維持する時間の決定方法を説明する図。
【図６】本発明の実施の形態に係る表示装置Ｘにおいて第１及び第２の省電力状態を切り替える時間間隔を設定する画面の例を表す図。
【図７】本発明の実施の形態に用いることのできるＡ／Ｄ変換器を含む概念図。
【符号の説明】
１０１…制御部
１０１ａ…ＭＰＵ
１０１ｂ…主メモリ
１０１ｃ…ＲＯＭ
１０１ｄ…電力供給制御回路
１０２…表示部
１０３…Ａ／Ｄ変換器
１０４…信号制御回路
１０５…記憶部
１０６…操作部
１０７…専用バス
Ｗ１…通常状態の消費電力
Ｗ２…第１の省電力状態の消費電力
Ｗ３…第２の省電力状態の消費電力
Ｔ１…第１のパワーセーブ時間（第１の省電力状態の時間）
Ｔ２…第２の省電力状態の時間
Ｔ３…第１の省電力状態の時間
Ｐ０…通常状態から第１の省電力状態へ移行した時点
Ｐ１…第１の省電力状態から第２の省電力状態へ移行した時点
Ｐ２…第２の省電力状態から第１の省電力状態へ移行した時点
５０１，６０２…テーブル
６０１…省電力優先レベル
【図１】
0004889892.tif 000002
【図２】
0004889892.tif 000003
【図３】
0004889892.tif 000004
【図４】
0004889892.tif 000005
【図５】
0004889892.tif 000006
【図６】
0004889892.tif 000007
【図７】
0004889892.tif 000008